(57)【要約】【課題】集塵ケースのハンドルを把持して本体から取り出す時に、フィルタ装置が開きゴミがこぼれない電気掃除機を提供する。【解決手段】集塵ケース１１が集塵室３ａから取り出されるときに把持されるハンドル２４にかかる荷重が、フィルタ装置１３の係止解除ボタン２２の回転軸２２ａの位置を上方に変形しないように、ハンドル２４の一端が吸気口１２側の集塵ケース本体１４上部に固定され、他端に形成された取付部２４ｄがフィルタ装置１３側の集塵ケース本体１４上部に固定され、取付部２４ｄは集塵ケース本体１４上面の前後方向の略中央部に配設した。【選択図】図６
2011010982.tif 000002
【特許請求の範囲】
【請求項１】
電動送風機と、
前記電動送風機が発生する気流により吸引される塵埃を集塵するとともに集塵室に着脱自在に収容される集塵ケースとを備えた電気掃除機において、
前記集塵ケースは、前面に塵埃を吸気する吸気口、後面にフィルタ装置、上面にハンドルを有し、
前記フィルタ装置は、前記集塵ケース本体の下方のヒンジにより回動自在に軸支されるとともに、上部には前記集塵ケース本体後端側と係止されるフィルタ被係止部を備え、
前記フィルタ被係止部の上部と回動して係止する係止レバーを有する係止解除ボタンの回転軸を集塵ケース本体上面側に一体的に固定して設け、
前記ハンドルは、一端が吸気口側の前記集塵ケース本体に固定され、他端に形成された取付部が前記フィルタ装置側の前記集塵ケース本体に固定され、
前記取付部は前記集塵ケース本体上面の前後方向の略中央部に配設されることを特徴とする電気掃除機。
【請求項２】
前記係止解除ボタンの回動を規制するボタンカバーが前記取付部と隣接して前記集塵ケース本体上面に固定され、前記ハンドルと前記ボタンカバーとの間の隙間を覆う指挟み防止リブを設けたことを特徴とする請求項１記載の電気掃除機。
【発明の詳細な説明】
【技術分野】
【０００１】
本発明は、電気掃除機に係り、特に、集塵室に着脱自在の集塵ケースを備えた電気掃除機に関するものである。
【背景技術】
【０００２】
電気掃除機では、一般にその本体に電動送風機および集塵ケースが収容されており、電動送風機を駆動させたときに発生する吸引力によって塵埃が吸い込まれ、この塵埃は、集塵ケースで捕獲される。
【０００３】
図７は従来の電気掃除機における集塵ケースの側面断面図を示す。図７において、左側は吸引される風路の風上側（前側）、右側は風下側（後側）を示す。
集塵ケース１１には、左側にホース（図示せず）に連通され塵埃を含む空気を吸込む吸気口１２、右側に開口部（図示せず）が形成されており、開口部にはこれを塞ぐようにヒンジ２１を軸に回動自在に軸支されたフィルタ装置１３が配設されている。
【０００４】
集塵ケース本体１４の上面前端側には、サイクロン旋回部１５を集塵ケース本体１４の内壁に着脱自在に装着するために、サイクロン旋回部１５の前端上部に形成したサイクロン旋回部係止部１５ａと、サイクロン旋回部係止部１５ａを係止するフック１６と、サイクロン旋回部係止部１５ａとフック１６との係止を解除する解除レバー１７を備える。フック１６はバネＡ１８にて下方向に付勢されている。ここでフック１６が集塵ケース本体１４内を上下動する箇所には穴が設けられており，内外の気密はパッキン１４ｂにてシ−ルされている。解除レバー１７の下端にはこれと対向する位置に設けられるフック１６のフランジ（図示せず）と下方から当接するフランジ押上げ部材が設けられている。解除レバー１７の先端をバネＡ１８の付勢力に抗して下方に押し下げることにより解除レバー１７が回動してフランジ押上げ部材がフック１６のフランジを押し上げ、フック１６とサイクロン旋回部係止部１５ａとの係止が解除され、サイクロン旋回部１５を取り外すことができる。
【０００５】
集塵ケース本体１４の上面後端側には、集塵ケース本体１４の背面側に対向するように閉じられたフィルタ装置１３のフィルタ被係止部１９を、鉤状で上方から引掛けるように係止する係止レバー２０を備え、フィルタ被係止部１９と係止レバー２０との係止を解除する係止解除ボタン２２が設けられる。係止解除ボタン２２は、回転軸２２ａ（紙面垂直方向）を軸に回動自在に配設され、前部２２ｂはバネＢ２３によって上方向に付勢されている。後述するハンドル２４の後部の後カバー２４ｂが前部２２ｂの上部を覆うように延設され、バネＢ２３により係止解除ボタン２２が回転軸２２ａを軸に時計方向に回動するのを規制する。バネＢ２３の付勢力に抗して係止解除ボタン２２の後面を前方に押し込むことにより、係止解除ボタン２２は回転軸２２ａを軸に反時計方向に回動し、係止解除ボタン２２と一体に形成される係止レバー２０が上方に移動する。そして、フィルタ被係止部１９と係止レバー２０との係止が解除され、フィルタ装置１３はヒンジ２１を軸に回動して集塵ケース１１の後面の開口部が開成され、集塵ケース１１内の塵埃を廃棄することができる。
【０００６】
集塵ケース本体１４の上面には、前面の吸気口１２側と後面のフィルタ装置１３側とにまたがるようにハンドル２４が設けられる。ハンドル２４の前端の前カバー２４ａは、解除レバー１７の前面で固定される。一方、ハンドル２４の後端の後カバー２４ｂは、係止解除ボタン２２の上面の一部を覆うように延設して形成される。さらに、後カバー２４ｂから左右方向（紙面に対し垂直方向）にアーチ状に広がり、それぞれの下端をつなぐように、底板２４ｃがハンドル２４と一体的に形成される。この底板２４ｃと集塵ケース本体１４の上面先端部１４ａとが固定される。また、回転軸２２ａは底板２４ｃと固定される。
【発明の概要】
【発明が解決しようとする課題】
【０００７】
後述するように、集塵ケース１１に集塵された塵埃を廃棄する場合、掃除機本体４の上面に回動自在に設けられる蓋部４ｆを開成し、ハンドル２４を把持して上方に引き上げることにより、集塵ケース１１を、その収容される集塵室３ａから取り出す（図３参照）。集塵ケース１１の外側壁は集塵室３ａの内側壁と摺動するため、集塵ケース１１の自重と摺動による摩擦力に抗してハンドル２４を引き上げることになる。したがって、ハンドル２４に大きな荷重がかかることになる。ハンドル２４が把持されて上方に引き上げられた場合、特に、ハンドル２４が上方前面寄り（紙面の左上）方向に引き上げられると、ハンドル２４の後部側に引き上げようとする荷重が加わる。
【０００８】
この荷重は、ハンドル２４と一体的に構成される底板２４ｃを上方に引き上げるように作用するとともに、底板２４ｃが固定される集塵ケース本体１４の上面先端部１４ａも上方に引き上げるように作用する。上面先端部１４ａは接続部１４ｃにより集塵ケース本体１４に連結される。底板２４ｃを引き上げる力により上面先端部１４ａは上方に変形する。この変形においては、底板２４ｃが力点、根元部１４ｄを支点とし、上面先端部１４ａが作用点となる。この変形に伴って、回転軸２２ａが上方に移動し、係止解除ボタン２２も上方に移動する。その結果、係止レバー２０がフィルタ被係止部１９から外れてフィルタ装置１３が開いてしまい、集塵ケース１１に貯められた塵埃がこぼれ落ち、集塵室３ａ内および室内等を汚してしまうという問題があった。
【０００９】
本発明は、上記のような課題を解決するためになされたもので、集塵ケースを電気掃除機本体から取り出す時にハンドルに加わる荷重が、フィルター装置の集塵ケース本体への係止を解除するように作用することを抑制する集塵ケースを備えた電気掃除機を得ることを目的とするものである。
【課題を解決するための手段】
【００１０】
この発明に係る電気掃除機は、電動送風機と、電動送風機が発生する気流により吸引される塵埃を集塵するとともに集塵室に着脱自在に収容される集塵ケースとを備えた電気掃除機において、集塵ケースは、前面に塵埃を吸気する吸気口、後面にフィルタ装置、上面にハンドルを有し、フィルタ装置は、このフィルタ装置の下方のヒンジにより回動自在に軸支されるとともに、上部には集塵ケース本体後端側と係止されるフィルタ被係止部を備え、フィルタ被係止部の上部と回動して係止する係止レバーを有する係止解除ボタンの回転軸を集塵ケース本体上面側に一体的に固定して設け、ハンドルは、一端が集塵ケース本体の吸気口側に固定され、他端が集塵ケース本体のフィルタ装置側の取付部に固定され、取付部は集塵ケース上面の前後方向の略中央部に配設されるものである。
【発明の効果】
【００１１】
本発明に係る電気掃除機によれば、集塵ケースを集塵室から取り出す時にハンドルに加わる荷重による変形がフィルタ装置の集塵ケース本体への係止を解除するように作用することを抑制するので、使い勝手のよい電気掃除機を得ることができる。
【図面の簡単な説明】
【００１２】
【図１】本発明の実施の形態１に係る電気掃除機の全体構成図である。
【図２】本発明の実施の形態１に係る電気掃除機の外観を示す斜視図である。
【図３】本発明の実施の形態１に係る電気掃除機において、蓋部を取り外した状態の外観を示す斜視図である。
【図４】本発明の実施の形態１に係る電気掃除機の集塵ケースを前面側からみた外観を示す斜視図である。
【図５】本発明の実施の形態１に係る電気掃除機の集塵ケースを背面側から見た斜視図であり、フィルタ装置が開かれた状態の図である。
【図６】本発明の実施の形態１に係る電気掃除機の集塵ケースの構成を示す側面断面図である。
【図７】従来の電気掃除機における集塵ケ−スの構成を示す側面断面図である。
【発明を実施するための形態】
【００１３】
[実施の形態１]
図１は本発明の実施の形態１に係る電気掃除機の全体構成図である。図２は本発明の実施の形態１に係る電気掃除機の外観を示す斜視図である。図３は本発明の実施の形態１に係る電気掃除機において、蓋部を取り外した状態の外観を示す斜視図である。図４は本発明の実施の形態１に係る電気掃除機の集塵ケースを前面側からみた外観を示す斜視図である。図５は本発明の実施の形態１に係る電気掃除機の集塵ケースを背面側から見た斜視図であり、フィルタ装置が開かれた状態の図である。図６は本発明の実施の形態１に係る電気掃除機の集塵ケースの構成を示す側面断面図である。
【００１４】
図１において、電気掃除機１は、電動送風機２と集塵部３を内臓した電気掃除機本体４に、ホース５の一端側が接続され、ホース５の他端側には電気掃除機１の操作部（図示せず）を備えた把持部６の一端側に接続される。把持部６の他端側には延長管７の一端側が接続される。延長管７の他端側には吸込具１０が接続される。なお、集塵部３は、後述する集塵室３ａと集塵室３ａに収容される集塵ケース１１から構成される。
【００１５】
図２において、電気掃除機本体４に対し、左斜め下方側を前方、右斜め上方側を後方として説明し、以降の説明においても、方向を特定する場合は、この方向に従って前後、左右および上下を特定する。
【００１６】
電気掃除機本体４は、たとえば樹脂で成形された本体ケ−ス４ａによってその外形が形成されており、本体ケ−ス４ａの前面にはホース５の一端が装着される吸込ホース装着孔４ｂが形成されている。また、本体ケ−ス４ａの後方寄り左右両側には、比較的大径の車輪４ｃが備えられ、前方下面には小径の車輪４ｄが備えられている。さらに、本体ケ−ス４ａの前面には、本体取っ手４ｅが設けられている。本体ケ−ス４ａの上面には、開閉可能な蓋部４ｆが配置されている。蓋部４ｆは、後方側にヒンジ（図示せず）を有し、前方側が上方へ開いて集塵室３ａの上面が開口され、集塵ケース１１を取り出すことができる。
【００１７】
図３において、蓋部４ｆで覆われた電気掃除機本体４内には、吸込ホース装着孔４ｂに連通する集塵室３ａが形成されていて、集塵室３ａ内には集塵ケース１１が着脱自在に収容されている。集塵室３ａの後方には、図示しない電動送風機２が内蔵されている。集塵ケース１１の上方には、集塵室３ａから集塵ケース１１を取り出すときに把持されるハンドル２４が設けられる。
【００１８】
図４において、集塵ケース本体１４により集塵ケース１１の外郭が構成される。集塵ケース本体１４は透明又は半透明の樹脂で形成される。集塵ケース本体１４の前面側（吸引される風路の風上側）には、ホース５に連通され塵埃を含む空気を吸込む吸気口１２が形成されている。集塵ケース１１が電気掃除機本体４の集塵室３ａに収容された状態では、吸気口１２は電気掃除機本体４に形成された吸込ホース装着孔４ｂと連通し、ホース５を経由して吸い込まれる空気および塵埃は、この吸気口１２から集塵ケース本体１４内へ取り込まれる。ここで吸込ホース装着孔４ｂと吸気口１２とはパッキン（図示せず）によってシ−ルされている。一方、集塵ケース本体１４の後面側（吸引される風路の風下側）には開口部（図示せず）が形成されており、開口部にはこれを塞ぐように一対のヒンジ２１を軸に回動自在に軸支されたフィルタ装置１３が配設されている。一対のヒンジ２１は集塵ケース本体１４の下方に配設される。
【００１９】
図５において、左前面側が吸引風路の風下側である。サイクロン旋回部１５は、透明または半透明の樹脂で形成されていて、集塵ケース本体１４の背面側から集塵ケース本体１４内壁に着脱自在に装着される。集塵ケース本体１４の外部から装着されたサイクロン旋回部１５を視認できる。なお、サイクロン旋回部１５に代えて、紙パック（図示せず）も着脱自在に装着され、その場合、紙パック式掃除機として兼用できる。
【００２０】
サイクロン旋回部１５は、空気中の塵埃に遠心力を付与するための旋回流路１５ｂ、吸気口１２から入る空気の流れを確保するためのバイパス流路１５ｃを形成する。吸気口１２から吸引された塵埃を含んだ空気はサイクロン旋回部１５で旋回流となり、遠心力を付与された比較的重い塵埃が旋回流路１５ｂに乗って運ばれ、集塵空間１５ｄに至る。ここで、後述するフィルタ装置１３で、比較的重い塵埃を含んだ空気が濾過され、塵埃の取り除かれた空気がフィルタ装置１３を通過する。一方、比較的軽い塵埃を含んだ空気は旋回流路１５ｂとは別のバイパス流路１５ｃに乗って集塵空間１５ｄに至る。ここで、比較的軽い塵埃を含んだ空気がフィルタ装置１３で濾過され、塵埃の取り除かれた空気がフィルタ装置１３を通過する。このように、サイクロン旋回部１５においてサイクロン方式で集塵を行なうことできる。また、集塵ケース１１にはバイパス流路１５ｃが形成されているので、旋回流路１５ｂが比較的重い塵埃により詰まっても、吸気口１２からフィルタ装置１３への空気の流れを確保することができる。
【００２１】
フィルタ装置１３は、その下端部が集塵ケース本体１４の下方部に設けられた一対のヒンジ２１を介して連結されている。集塵ケース本体１４にサイクロン旋回部１５が装着され、集塵ケース本体１４に対してヒンジ２１を軸にフィルタ装置１３が回動されて、集塵ケース本体１４の背面側に対向するように閉じられることにより、フィルタ装置１３が集塵ケース本体１４に取り付けられ、図４に示すように、集塵ケース１１が構成される。
【００２２】
フィルタ装置１３は、上述したように、一対のヒンジ２１によって集塵ケース本体１４に連結されている。そして、フィルタ装置１３には、集塵空間１５ｄと集塵空間１５ｄに溜まった塵埃を捕獲するネットフィルタ１３ａを支持するネットフィルタフレ−ム１３ｂと、ネットフィルタ１３ａを通過した細塵を捕獲するプリ−ツフィルタ１３ｃを支持するプリ−ツフィルタフレ−ム１３ｄで構成されている。
【００２３】
集塵ケース本体１４の上方の後端には、一対の鉤状の係止レバー２０が係止解除ボタン２２と一体的に、回転軸２２ａを軸に回動自在に設けられ、一対の係止レバー２０は、プリーツフィルタフレーム１３ｄの先端（フィルタ装置１３の閉成時には上端）の左右一対のフィルタ被係止部１９をそれぞれ上方から引っ掛けるように係止する。係止解除ボタン２２の後面を前方に押し込むと係止レバー２０の先端が上方に回転する。そして、係止レバー２０とフィルタ被係止部１９の係止が解除され、フィルタ装置１３がヒンジ２１を軸に回動して集塵ケース本体１４の後面を開放する。
【００２４】
図６において、左側は吸引される風路の風上側（前側）、右側は風下側（後側）を示す。
集塵ケース１１には、左側にホース（図示せず）に連通され塵埃を含む空気を吸込む吸気口１２、右側に開口部（図示せず）が形成されており、開口部にはこれを塞ぐようにヒンジ２１を軸に回動自在に軸支されたフィルタ装置１３が配設されている。
【００２５】
集塵ケース本体１４の上面前端側には、サイクロン旋回部１５を集塵ケース本体１４の内壁に着脱自在に装着するために、サイクロン旋回部１５の前端上部に形成したサイクロン旋回部係止部１５ａと、サイクロン旋回部係止部１５ａを係止するフック１６と、サイクロン旋回部係止部１５ａとフック１６との係止を解除する解除レバー１７を備える。フック１６はバネＡ１８にて下方向に付勢されている。ここでフック１６が集塵ケース本体１４内を上下動する箇所には穴が設けられており，内外の気密はパッキン１４ｂにてシ−ルされている。解除レバー１７の下端にはこれと対向する位置に設けられるフック１６のフランジ（図示せず）と下方から当接するフランジ押上げ部材が設けられている。解除レバー１７の先端をバネＡ１８の付勢力に抗して下方に押し下げることにより解除レバー１７が回動してフランジ押上げ部材がフック１６のフランジを押し上げ、フック１６とサイクロン旋回部係止部１５ａとの係止が解除され、サイクロン旋回部１５を取り外すことができる。
【００２６】
集塵ケース本体１４の上面後端側には、集塵ケース本体１４の背面側に対向するように閉じられたフィルタ装置１３のフィルタ被係止部１９を、鉤状で上方から引掛けるように係止する係止レバー２０を備え、フィルタ被係止部１９と係止レバー２０との係止を解除する係止解除ボタン２２が設けられる（図５参照）。係止解除ボタン２２は、回転軸２２ａ（紙面垂直方向）を軸に回動自在に配設され、前部２２ｂはバネＢ２３によって上方向に付勢されている。ボタンカバー２５は、前部２２ｂの上部、バネＢ２３を囲むように形成され、集塵ケース本体１４の上面先端部１４ａに固定される。回転軸２２ａも上面先端部１４ａに固定される。係止解除ボタン２２の前部２２ｂの上部を覆うボタンカバー２５は、バネＢ２３により係止解除ボタン２２が回転軸２２ａを軸に時計方向に回動するのを規制する。バネＢ２３の付勢力に抗して係止解除ボタン２２の後面を前方に押し込むことにより、係止解除ボタン２２は回転軸２２ａを軸に反時計方向に回動し、係止解除ボタン２２と一体に形成される係止レバー２０が上方に移動する。そして、フィルタ被係止部１９と係止レバー２０との係止が解除され、フィルタ装置１３はヒンジ２１の周りに回動して集塵ケース１１の後面の開口部が開成され、集塵ケース１１内の塵埃を廃棄することができる。
【００２７】
集塵ケース本体１４の上面には、前面の吸気口１２側と後面のフィルタ装置１３側とにまたがるようにハンドル２４が設けられる。ハンドル２４の前端の前カバー２４ａは、解除レバー１７の下方で集塵ケース本体１４と固定される。一方、ハンドル２４の後端にハンドル２４と一体に形成された取付部２４ｄが、一対のネジ２７により集塵ケース本体１４と固定される（図４参照）。取付部２４ｄが集塵ケース本体１４と固定される位置は、集塵ケース本体１４上面の、前後方向の略中央部に設ける。なお、取付部２４ｄはハンドルと別体で形成してもよい。
【００２８】
取付部２４ｄの上端と下端には、それぞれ後方に突出されるリブである指挟み防止リブ２４ｅ（後述する）と下端リブ２４ｆが形成される。下端リブ２４ｆの後面がボタンカバー前板２５ａの前面下端と当接する。また、後述するように、ボタンカバー前板２５ａの上部において前方に突出する目隠しリブ２５ｂがハンドル２４の後端と当接する。
【００２９】
次に、集塵ケース１１を集塵室３ａから取り出すときに、ハンドル２４に作用する力が係止解除ボタン２２に対し作用する影響について説明する。
集塵ケース１１に集塵された塵埃を廃棄する場合、掃除機本体４の上面に回動自在に設けられる蓋部４ｆを開成し、ハンドル２４を把持して上方に引き上げることにより、集塵ケース１１を集塵室３ａから取り出す（図３参照）。集塵ケース１１の外側壁は集塵室３ａの内側壁と摺動するため、集塵ケース１１の自重と摺動による摩擦力に抗してハンドル２４を引き上げることになる。したがって、ハンドル２４に大きな荷重がかかることになる。ハンドル２４が把持されて上方に引き上げられると、特に、ハンドル２４が上方前面寄り（紙面の左上）方向に引き上げられると、ハンドル２４の後部側に引き上げようとする荷重が加わる。
【００３０】
この荷重はハンドル２４の後端に形成された取付部２４ｄを介して、取付部２４ｄとネジ２７により固定された集塵ケース本体１４の上面を上方に引き上げるように作用する。この作用により、取付部２４ｄと固定された集塵ケース本体１４の上面先端部１４ａは上方に変形する。この変形においては、取付部２４ｄが力点、根元部１４ｄを支点とし、上面先端部１４ａが作用点となる。
【００３１】
この作用点に係る荷重を図７に記載した従来例の場合と比較する。ここで、図６と図７の場合とで、ハンドルにかかる加重が同じ、即ち、力点に作用する荷重が同じとする。
支点と力点との距離は図７の場合よりも図６の場合が小さい。したがって、作用点である上面先端部１４ａを上方に変形しようと作用するモーメントは、図６の方が図７の従来例の場合よりも小さくなる。つまり、図７では力点と作用点の位置が近接していて、力点にかかる荷重とほぼ同じ荷重が作用点にかかるのに対し、図６では、力点にかかる荷重に対し、支点−作用点間距離に対する支点−力点間距離の比率分だけ小さい荷重が作用点にかかる。この結果、図６における作用点である上面先端部１４ａに固定された係止解除ボタン２２の回転軸２２ａを上方に移動させる距離が図７の場合と比べて小さく、係止レバー２０がフィルタ被係止部１９から外れてフィルタ装置１３が開いてしまうことが抑制される。
【００３２】
また、ハンドル２４の取付部２４ｄをボタンカバー前板２５ａと背中合わせに配置固定した場合、ハンドル２４を把持して操作する場合に、取付部２４ｄとボタンカバー前板２５ａとの合わせ部に隙間２６が生じる。外観上隙間２６を見えにくくするため、ボタンカバー前板２５ａの前面には目隠しリブ２５ｂが設けられている。また、隙間２６が生じた場合に指を挟む虞があることから、ハンドル２４の上面がボタンカバー２５の天面より高くなる位置に指挟み防止リブ２４ｅを設けている。なお、指挟み防止リブ２４ｅをハンドル２４側に設けたが、ボタンカバー２５側に設けてもよい。
【００３３】
このように、実施の形態１によれば、集塵ケースが集塵室から取り出されるときに把持されるハンドルに加わる荷重が集塵ケース本体に加わる位置を係止解除ボタンの回転軸の位置よりも吸気口側に配設したので、ハンドルに加わる荷重が、フィルター装置の集塵ケース本体への係止を解除するように作用することを抑制し、集塵ケース内の塵埃が外にこぼれることがなく、使い勝手がよい電気掃除機を得ることができる。
また、ハンドルとボタンカバーとの間の隙間を覆う指挟み防止リブを設けたので、ハンドルとボタンカバーとの間に指を挟むことがなく、安全で使い勝手がよい電気掃除機を得ることができる。
【符号の説明】
【００３４】
１  電気掃除機、２  電動送風機、３  集塵部、３ａ  集塵室、４  電気掃除機本体、
４ａ  本体ケース、４ｂ  吸込ホース装着孔、４ｃ  車輪、４ｄ  車輪、
４ｅ  本体取っ手、４ｆ  蓋部、５  ホース、６  把持部、７  延長管、１０  吸込具、
１１  集塵ケース、１２  吸気口、１３  フィルタ装置、１３ａ  ネットフィルタ、
１３ｂ  ネットフィルタフレーム、１３ｃ  プリーツフィルタ、
１３ｄ  プリーツフィルタフレーム、１４  集塵ケース本体、１４ａ  上面先端部、
１４ｂ  パッキン、１４ｃ  接続部、１４ｄ  根元部、１５  サイクロン旋回部、
１５ａ  サイクロン旋回部係止部、
１５ｂ  旋回流路、１５ｃ  バイパス流路、１５ｄ  集塵空間、１６  フック、
１７  解除レバー、１８  バネＡ、１９  フィルタ被係止部、２０  係止レバー、
２１  ヒンジ、２２  係止解除ボタン、２２ａ  回転軸、２２ｂ  前部、２３  バネＢ、
２４  ハンドル、２４ａ  前カバー、２４ｂ  後カバー、２４ｃ  底板、
２４ｄ  取付部、２４ｅ  指挟み防止リブ、２４ｆ  下端リブ、２５  ボタンカバー、
２５ａ  ボタンカバー前板、２５ｂ  目隠しリブ、２６  隙間、２７  ネジ
【図１】
2011010982.tif 000003
【図２】
2011010982.tif 000004
【図３】
2011010982.tif 000005
【図４】
2011010982.tif 000006
【図５】
2011010982.tif 000007
【図６】
2011010982.tif 000008
【図７】
2011010982.tif 000009